(57)【特許請求の範囲】
【請求項１】
肌当接面側の表面シート、非肌当接面側の裏面シート、及び、前記表面シートと前記裏面シートとの間に位置する吸収体を有し、着用者の腹側部から股下部を介して背側部に亘る長手方向と、該長手方向と直交する幅方向とを有する吸収性物品であって、
前記表面シートは、肌側面及び吸収体側面に、エンボス部を伴わない凹凸面と中空部とを有し、前記表面シートから前記吸収体へと部分的に窪んだ防漏溝が、該表面シート上に少なくとも左右一対配されており、
前記防漏溝は、前記表面シートと前記吸収体とが一体的な圧密状態で窪んだ圧密部を有する構造であって、
前記左右一対の防漏溝は、前記表面シートの平面視においてそれぞれ前記長手方向に延在する波形状を有し、かつ、前記長手方向に延びる幅方向中心線を軸として形状が左右対称であり、
前記防漏溝の前記波形状は、前記着用者の排泄ポイントに対応する排泄部対応領域の左右両側の位置で、内溝縁と外溝縁のそれぞれが複数の波を繋いだ形状であり、平面視において幅方向に突出する部分の波の高さが、前記表面シートの幅方向の凹凸ピッチより小さくされている、吸収性物品。
【請求項２】
前記防漏溝は、前記幅方向のくびれを有する、請求項１記載の吸収性物品。
【請求項３】
前記防漏溝の波形状の幅方向に突出する部分の波の高さが、前記吸収性物品の幅方向内側と幅方向外側とで異なり、前記幅方向内側の波の高さが前記幅方向外側の波の高さよりも高い、請求項１又は２に記載の吸収性物品。
【請求項４】
前記防漏溝は高圧搾部と低圧搾部とを含んでなり、前記高圧搾部は互いに離間して配置されている請求項１〜３のいずれか１項に記載の吸収性物品。
【請求項５】
前記高圧搾部は前記低圧搾部に囲まれている請求項４記載の吸収性物品。
【請求項６】
前記左右一対の防漏溝が複数配されており、前記幅方向に隣り合う前記防漏溝間の離間領域が最も広い一対の防漏溝が受液領域にある、請求項１〜５のいずれか１項に記載の吸収性物品。
【発明の詳細な説明】
【技術分野】
【０００１】
本発明は、生理用ナプキンや失禁パッド、おむつなどの吸収性物品に関する。
【背景技術】
【０００２】
生理用ナプキン等の吸収性物品においては、各部材の材料や構造を改良し、その機能や着用感の向上が図られてきた。部材としての表面シートや吸収体についても、かかる改良を企図して開発がなされている。
【０００３】
例えば、特許文献１には、ナプキンの変形やヨレ等の防止、液の横漏れ防止のため、表面シートと吸収体とを一体的に圧搾する圧搾溝を蛇行形状としたものが記載されている。
また、特許文献２には、ナプキン内の吸収体のヨレ及び横漏れの抑制のため、吸収体の両側にそれぞれ長手方向に沿ってエンボスを配したものが記載されている。該エンボスは、直線部と円弧状部とを交互に複数配置したパターンとされている。
【先行技術文献】
【特許文献】
【０００４】
【特許文献１】国際公開第２００４／０７８０８５号
【特許文献２】特開２０１４−１４７４４６号公報
【発明の概要】
【発明が解決しようとする課題】
【０００５】
一方で、着用感の向上の観点からは、肌に触れる表面シートをより柔らかな肌触りやドライ感のさらなる向上が求められるようになってきた。これに対し、表面シートを凹凸にして嵩高くして、肌触りや通気性、液透過性をさらに向上させることが試みられるようになってきた。
【０００６】
しかし、上記のような表面シートの嵩高い凹凸部分は、その柔らかさゆえに、防漏溝としての前述した圧搾溝等に隣接する部分では潰れやすい。表面シートが中空部を有する場合は特に潰れやすいものとなってしまう。これでは、吸収性物品へ該表面シートを組み込んだときに、嵩高い表面シート本来の機能が損なわれ十分発揮されない場合がある。
防漏溝としての圧搾溝等は、前述のとおり、ヨレや液の横漏れの防止の観点からは非常に有用なものであるが、凹凸を有する嵩高い表面シートとの両立が難しい。この問題について上記特許文献１及び２には記載はない。
【０００７】
そこで、本発明は、防漏溝（圧搾溝）の周辺において表面シートの凹凸による嵩高さを維持し、防漏溝によるヨレ及び液横漏れに対する優れた防止性能と、表面シートによる柔らかい肌触り性やドライ感などの優れた着用感とを両立する吸収性物品に関する。
【課題を解決するための手段】
【０００８】
本発明は、肌当接面側の表面シート、非肌当接面側の裏面シート、及び、前記表面シートと前記裏面シートとの間に位置する吸収体を有し、着用者の腹側部から股下部を介して背側部に亘る長手方向と、該長手方向と直交する幅方向とを有する吸収性物品であって、前記表面シートは、肌側面及び吸収体側面に、エンボス部を伴わない凹凸面と中空部とを有し、前記表面シートから前記吸収体へと部分的に窪んだ防漏溝が、該表面シート上に少なくとも左右一対配されており、前記防漏溝は、前記表面シートと前記吸収体とが一体的な圧密状態で窪んだ圧密部を有する構造であって、前記左右一対の防漏溝は、前記表面シートの平面視においてそれぞれ前記長手方向に延在する波形状を有し、かつ、前記長手方向に延びる幅方向中心線を軸として形状が左右対称である吸収性物品を提供する。
【発明の効果】
【０００９】
本発明の吸収性物品は、防漏溝の周辺において表面シートの凹凸による嵩高さを維持し、防漏溝によるヨレ及び液横漏れに対する優れた防止性能と、表面シートによる柔らかい肌触り性やドライ感などの優れた着用感とを両立することができる。
【図面の簡単な説明】
【００１０】
【図１】本発明における吸収性物品の好ましい一実施形態としての生理用ナプキンを伸長した状態で肌当接面側から模式的に示す一部切欠斜視図である。
【図２】本実施形態の生理用ナプキンにおける表面シートの好ましい態様を模式的に示す一部切欠斜視図である。
【図３】本実施形態の生理用ナプキンにおける表面シートの他の好ましい態様を模式的に示す一部切欠斜視図である。
【図４】（Ａ）は本実施形態における防漏溝としての圧搾溝の波形状の好ましい態様を模式的に示す平面図であり、（Ｂ）は（Ａ）に示す圧搾溝の外側湾曲部を部分的に拡大して示す平面図である。
【図５】（Ａ）及び（Ｂ）は、本実施形態の防漏溝としての圧搾溝によって表面シートの突出部を圧搾するパターンを模式的に示す説明図であり、（Ｃ）は、従来の直線状の圧搾溝によって表面シートの突出部を圧搾するパターンを模式的に示す説明図である。
【図６】（Ａ）は図４（Ａ）のＲＡ−ＲＡ線断面を模式的に示す断面図であり、（Ｂ）は図４（Ａ）のＲＢ−ＲＢ線断面を模式的に示す断面図である。
【図７】（Ａ）は図５に示すアーチ形状の防漏溝が有するポケット部の配列と受液領域との配置関係を示す平面図であり、（Ｂ）は、直線形状の防漏溝が有するポケット部の配列と受液領域との配置関係を示す平面図である。
【図８】（Ａ）は本実施形態における防漏溝としての圧搾溝の波形状の他の好ましい態様を模式的に示す平面図であり、（Ｂ）は（Ａ）に示す圧搾溝の外側湾曲部を部分的に拡大して示す平面図である。
【図９】（Ａ）は図８（Ａ）のＲＣ−ＲＣ線断面を模式的に示す断面図であり、（Ｂ）は図４（Ａ）のＲＤ−ＲＤ線断面を模式的に示す断面図である。
【図１０】図８に示す圧搾溝において、幅方向内側（受液領域側）の溝縁の曲率と幅方向外側（外縁側）の溝縁の曲率とが異なる態様も模式的に示す平面図である。
【図１１】防漏溝としての圧搾溝の波形状の波の高さと表面シートの凹凸ピッチとの関係を模式的に示す説明図であり、（Ａ）は図２の表面シートと図８の圧搾溝との組み合わせを示しており、（Ｂ）は図２の表面シートと図４の圧搾溝との組み合わせをしており、（Ｃ）は図３の表面シートと図８の圧搾溝との組み合わせを示しており、（Ｄ）は図３の表面シートと図４の圧搾溝との組み合わせを示している。
【図１２】高圧搾部と低圧搾部との組み合わせからなる圧搾溝の好ましい態様を模式的に示した平面図であり、（Ａ）は図４の圧搾溝の場合を示しており、（Ｂ）及び（Ｃ）は図８の圧搾溝の場合を示しており、（Ｄ）及び（Ｅ）は図１０の圧搾溝の場合を示している。
【図１３】（Ａ）は、高圧搾部を低圧搾部で囲む配置とした場合の張力の波及について示す説明図であり、（Ｂ）は高圧搾部を低圧搾部で囲まない配置とした場合の張力の波及について示す説明図である。
【図１４】防漏溝としての圧搾溝が複数対配される場合の配置を模式的に示す説明図である。
【図１５】（Ａ）及び（Ｂ）は、図１４の圧搾溝の配置構成の場合における幅方向からの外力がかかった場合の変形について模式的に示す説明図であり、（Ｃ）及び（Ｄ）は、図１の圧搾溝の配置構成の場合における幅方向からの外力がかかった場合の変形について模式的に示す説明図である。
【図１６】図１４の排泄部対応領域で離間させて配置した２対の非圧搾領域について模式的に示す平面図である。
【図１７】（Ａ）は実施例１の試料における圧搾溝付近の断面を撮像した図面代用写真であり、（Ｂ）は比較例１の試料における圧搾溝付近の断面を撮像した図面代用写真であり、（Ｃ）は実施例１の試料に対し漏れ防止試験をして６ｇ注入した状態を表面シート上から撮像した図面代表写真であり、（Ｄ）は比較例１の試料に対し実施例１と同様に６ｇ注入した状態を表面シート上から撮像した図面代表写真である。
【発明を実施するための形態】
【００１１】
まず、本発明における吸収性物品の好ましい一実施形態としての生理用ナプキン（以下、ナプキンとも言う）１０について、図面を参照しながら説明する。
図１に示すナプキン１０は、肌当接面側の表面シート１、非肌当接面側の裏面シート２、及び表面シート１と裏面シート２との間に位置する吸収体３を有する。本実施形態においては、さらに、表面シート１の肌当接面側の両側にサイドシート４が積層されている。サイドシート４と裏面シート２とが吸収体３の幅方向外方に延出して、ナプキンン１０の下着等への固定手段であるウイング部５を形成している。このシートの積層構造において、ナプキン１０の外周縁は、吸収体３を介在させずに接合された外周シール部９となっている。
【００１２】
表面シート１は、肌側面及び吸収体側面（非肌当接面側）に、エンボス部を伴わない凹凸面と中空部とを備えた嵩高構造を有する。ここで言うエンボス部とは、表面シートに設けられた、その周囲よりも高密度化され、繊維同士が融着している部分であり、当該部分は吸収体には形成されていないものである。したがって、エンボス部は言い換えれば、表面シートに設けられ、吸収体にまで及ばない高密度化融着部である。したがって、後述する圧搾部６はここで言うエンボス部とは区別されるものである。エンボス部を伴わない凹凸面と中空部とを備えた嵩高構造を有する表面シートとしては、例えば、特開２０１３−１３３５７４号公報に記載されている。これにより、表面シート１は、着用者の肌に直接触れる部分として、肌触りが柔らかく、通気性が良く、素早い液透過性で液残りが生じ難い。
この表面シート１上には、表面シート１から吸収体３へと部分的に窪んだ防漏溝としての圧搾溝６が、少なくとも幅方向に左右一対配されている。左右一対の圧搾溝６、６は、表面シート１の平面視においてそれぞれ長手方向（Ｙ方向）に延在する波形状を有する。該波形状は、ナプキン１０の長手方向に延びる幅方向中心線Ｌを軸として左右対称である。これにより、圧搾溝６の周辺を含めた圧搾溝６以外の部分で、表面シート１の前記嵩高構造が十分に維持された領域を広く有するナプキン１０となる。
この表面シート１の嵩高構造及びの圧搾溝６の波形状の詳細は後述する。
【００１３】
ナプキン１０は、長手方向（Ｙ方向）と、該長手方向と直交する幅方向（Ｘ方向）とを有する、縦長形状である。長手方向は、ナプキン１０の装着時における、着用者の肌側部と背側部とを股下部を介して繋ぐ方向である。すなわち、ナプキン１０は、着用の際、表面シート１側を着用者の肌側に向け、長手方向を着用者の下腹部から股下部を介して背側部に亘って配し、幅方向を左右の足を繋ぐ方向に向けて配して着用される。その際、ウイング部５，５を折り曲げて下着のクロッチ部分に巻き付け、ウイング部５が備える粘着部（図示せず）でナプキン１０を固定する。
【００１４】
ナプキン１０は、着用者の排泄ポイントに対応して配置される排泄部対応領域Ｃを有する。さらに排泄部対応領域Ｃよりも前方の下腹部に配置される前方部Ｆとし、後方の臀部側に配置される後方部Ｒとして区分できる。また、排泄部対応領域Ｃの幅方向において、特に後述する圧搾溝６，６よりも内方の、排泄液を直接受け止める領域を受液領域Ｃ１という。本実施形態において、この３つの領域は、ナプキン１０を長手方向に３等分に区分した領域であり、ウイング部がある領域が排泄部対応領域である。この区分は、使用目的等によって変わる吸収性物品の大きさに合わせて設定され得る。例えば、通常、昼用のナプキンなど前後対称に形成される場合は、ナプキンを縦方向に３等分した場合の中央部分が排泄部対応領域となる。夜用のナプキンなどは、後方に臀部を覆う左右幅広な後方フラップを有るため、排泄部対応領域はナプキンを長手方向に２等分した際の前側の中央寄りにある。また、昼用、夜用にかかわらず、ショーツの股下部に折り曲げて固定するウイングを備える場合は、該ウイングの存在する領域が排泄部対応領域となる。一方で、ウイング部を備えない場合においては、排泄部対応領域は、一般に、ナプキン１０を長手方向Ｙに三等分した際の中央の領域である。
【００１５】
本発明においては、特に断らない限り、人体に接触する側を肌面側ないし肌当接面側あるいは表面側といい、これと反対側を非肌面側ないし非肌当接面側あるいは裏面側という。着用時に人体の前側に位置する方向を前方といいその端部を前端部とし、後側に位置する方向を後方といいその端部を後端部として説明する。また、吸収性物品の表面又は裏面の法線方向を厚み方向といいその量を厚みという。
【００１６】
次に、表面シート１について説明する。
【００１７】
表面シート１は、肌側面Ｚ１と吸収体側面（非肌側面）Ｚ２とにそれぞれ、エンボス部を伴わない凹凸面１１を有する（肌側面Ｚ１のものを凹凸面１１Ａ、吸収体側面Ｚ２のものを凹凸面１１Ｂと区別していうことがある。）。なお、凹凸面１１は、後述する圧搾溝により直接圧搾された部分を除いた部分を意味する。本実施形態においては、凹凸面１１は、圧搾溝６以外の表面シート１の全域に配されている。
表面シート１は、両面の凹凸面１１によって厚みを有し、該厚み部分に中空部を有する。この凹凸面と中空部とにより、表面シート１は嵩高く柔らかい肌触りのものとなり、通気性に優れる。しかも、凹凸面はエンボス部を有さないため硬くなる部分がなく、体圧による変形が滑らかで肌への追従性、フィット性に優れる。このような表面シート１は、特にエアスルー法により形成されたエアスルー不織布が好ましい。また、表面シート１は、柔らかさの観点から、１枚の不織布からなることが好ましい。
【００１８】
表面シート１の具体例について図２及び図３を参照して説明する。ただし、表面シート１は図２及び図３の形態に限定されるものでなく、両面がエンボスを伴わない凹凸面で中空部を有し、嵩高いものであれば種々の形態をとり得る。
【００１９】
図２に示す表面シート１Ａは、肌側面Ｚ１の第１突出部２１と、該第１突出部２１とは反対方向に突出している、吸収体側面Ｚ２の第２突出部２２とを有する。第１突出部２１と第２突出部２２とは、平面視交差する異なる方向のそれぞれに交互に複数配されている。上記異なる方向とは、例えば、ナプキン１０の長手方向（Ｙ方向）と幅方向（Ｘ方向）である。ただし、交差する異なる方向は、この直交するＸ方向、Ｙ方向に限定されることなく、種々の角度で交差する互いに異なる方向を含む。この交互配置がシート平面方向に複数配されている。この複数配列において、隣接して並走する配列同士で、第１突出部２１と第２突出部２２との交互配置が半ピッチずれた千鳥配置であることが、第１突出部２１への体圧の荷重をできるだけ均一化して形状保持性を高める観点から好ましい。
第１突出部２１は中空部２１Ｋを有し、第２突出部２２は中空部２２Ｋを有する。第１突出部２１の中空部２１Ｋは、吸収体側面Ｚ２で開口された内部空間であり、吸収体側面Ｚ２の凹部をなしている（以下、吸収体側凹部２１Ｋともいう。）。第２突出部２２の中空部２２Ｋは、肌側面Ｚ１で開口された内部空間であり、肌側面Ｚ１の凹部をなしている（以下、肌側凹部２２Ｋともいう。）。これにより、表面シート１の肌側面Ｚ１は、第１突出部２１と肌側凹部２２Ｋとが、平面視交差する異なる方向のそれぞれに交互に複数配された凹凸面１１Ａを有する。また、第１不織布シートの吸収体側面Ｚ２は、第２突出部２２と吸収体側凹部２１Ｋとが、平面視交差する異なる方向のそれぞれに交互に複数配された凹凸面１１Ｂを有する。
【００２０】
表面シート１Ａは、後述の圧搾溝６を除いて、第１突出部２１及び第２突出部２２がエンボス部を伴わずに平面方向に連なった構造となっている。また、本実施形態の表面シート１Ａは屈曲部を有さず、全体が連続した曲面で構成されている。ここでの「連続」とは、繊維の断絶した部分や貫通孔を有さないものである。この貫通孔とは、繊維間の隙間のような微細な孔を意味するのではなく、繊維が断絶された部分である。例えは、円相当径で１ｍｍ以上の孔を貫通孔と定義できる。表面シート１は、このような貫通孔を有さない。
【００２１】
本実施形態において第１突出部２１及び第２突出部２２は頂部に丸みをもった円錐台形状もしくは半球状にされている。すなわち、第１突出部２１及び第２突出部２２はそれぞれ、筋状でなく、独立したドーム状の突出形状である。なお、第１突出部２１及び第２突出部２２は上記形状に限定されず、独立した突出形状であれば、どのような形態でもよく、例えば、様々な錐体形状（本明細書において錐体形状とは、円錐、円錐台、角錐、角錐台、斜円錐等を広く含む意味である。）であることが実際的である。本実施形態において第１突出部２１及び第２突出部２２の内部空間２１Ｋ及び２２Ｋは、各突出部の外径と相似する頂部に丸みのある円錐台形状もしくは半球状の空間となっている。
【００２２】
表面シート１Ａの肌側面Ｚ１及び吸収体側面Ｚ２において、中空部２１Ｋ及び中空部２２Ｋの開口部分は、第１突出部２１、２１同士、第２突出部２２、２２同士を結ぶ、尾根部２３で隔てられた独立した空間となっている。表面シート１のシート厚み方向において、第１突出部２１と第２突出部２２とは、壁部２４を介して連なり、壁部２４が内部空間２１Ｋと２２Ｋとを区画している。この壁部２４は、内部空間を囲むように平面方向に環状にし、該環をシート厚み方向に連続させた形状である。ここでいう「環」とは、平面視において無端の一連の形状をなしていれば特に限定されず、平面視において円、楕円、矩形、多角形など、どのような形状であってもよい。シートの連続状態を好適に維持する上では円または楕円が好ましい。図２の表面シート１は、壁部２４及び尾根部２３を介して両突出部が連続するシート構造となっている。
【００２３】
また、壁部２４は、環に沿ったいずれの地点においても、その起立方向に沿った繊維配向性を有する。言い換えると、壁部２４は、第２突出部２２との関係においては、第２突出部２２の頂点２２Ｔに向かって収束する放射状の繊維配向性を有する。具体的には、特開２０１２−１３６７９０号公報の段落［００１４］〜［００２０］に記載の繊維配向性である。
【００２４】
表面シート１Ａの全体を見たときのシート厚みにおいて、第１突出部２１、壁部２４、第２突出部２２は、典型的には３等分に区分された部位として定義される。これらの厚みはシート厚みによって自ずと定まる（Ｐ１＝Ｐ２＝Ｐ３）。ただし、第１突出部２１と第２突出部２２との頂部の尖度ないし曲率が異なるときには、断面において直線状になった比較的狭い部分を壁部２４とし、そこから湾曲しし丸みを帯びいく領域をそれぞれ第１突出部２１及び第２突出部２２としてもよい。後者の定義において、例えば、第１突出部２１の方が第２突出部２２よりも曲率が小さく（曲率半径が大きく）緩やかな曲面である場合、第２突出部２２の方が第１突出部１よりのシート厚み方向に長く区分され、全体において厚み方向に偏倚のある形態となる。
【００２５】
表面シート１Ａは、優れたクッション性を有する。
表面シート１Ａは、両面において、他の部材や肌等に小さい面積で接触し、該部材や肌の三次元的な動きに対してもよく追従して柔軟に変形する立体的なクッション性を有する。また、中空部２１Ｋ、２２Ｋを有することで、表面シート１Ａに肌が触れたときの感触が柔らかなクッション性となる。加えて、壁部２４の介在により、第１突出部２１及び第２突出部２２が、応力に対して、互いに干渉し合わない独立した変形を可能にし、立体的なクッション性を有する。さらに、環状の壁部２４が第１突出部２１と第２突出部２２とを繋いで、一方の突出部にかかる応力を環状に分散させて、他方の突出部への波及を軽減する。これにより、表面シート１Ａ全体が完全に潰れてしまうことのないことないクッション性を有する。またこの応力分散により、表面シート１Ａ全体の形状保持性が高く、押し潰されても形状復元力が大きい。また、壁部２４においては、前述のとおり環のいずれの地点においても起立方向に沿った繊維配向性を有することで、しっかりとしたコシが生まれ上記のクッション性を高める。
その結果、表面シート１Ａは、例えばナプキン１０の梱包状態や着用が継続されても初期のクッション性を喪失しにくい。
【００２６】
表面シート１Ａは、高い液透過性で液が残り難く、優れた通気性を有する。
表面シート１Ａは、両面の突出部により肌と吸収体とを離間させる嵩高さを有し、両面の中空部２１Ｋ、２２Ｋにより優れた液透過性を有して、液が残り難い。同時に透過した液が肌側に戻り難い。さらに、前述した両面が小面積で接触している構造と中空部２１Ｋ、２２Ｋとにより、肌との接触面積を抑え、通気性に優れる。これらのことにより、尿や便、経血やおりものの排泄ののちにも、幅広く対応して極めて良好なサラッとしたドライ感が持続される。
特に、独立した複数の中空部２１Ｋや２２Ｋでは、排泄液を分散捕集して、肌から素早く引き離すことができる。これにより、表面シート１Ａ表面に液を滞留させることなく、吸収体３へと素早く引き渡すことができる。具体的には、排泄物が経血や軟便等の粘度が高く浸透性の低いものである場合、肌側面Ｚ１の肌側凹部（第２突出部の中空部）２２Ｋへと一旦分散捕集され、肌への接触を効果的に抑制できる。また、一度捕集された液が、壁部２４から第１突出部２１の内部空間２１Ｋに取り込まれ捕集される。さらに、排泄物が尿等の粘土の粘度が低く浸透性の高いものである場合、第１突出部２１から直接的に透過され、吸収体側面Ｚ２の吸収体側凹部（第１突出部２１の中空部）２１Ｋにも取り込まれる。これにより、積層不織布１０においける排泄物分散捕集が促進されて、効率よく吸収体３へと引き渡されて、高い液透過性を備える。
【００２７】
表面シート１は、上記の表面シート１Ａの他に、例えば図３に示すような表面シート１Ｂであってもよい。
【００２８】
図３に示す表面シート１Ｂでは、肌側面Ｚ１の第３突出部２５と、吸収体側面Ｚ２の第４突出部２６とが、長手方向（Ｙ方向）に延出した筋状の突出形状を有する。第３突出部２５と第４突出部２６とは互いに反対方向に突出しており、幅方向（Ｘ方向）に交互に配置されてトタンのような波形形状を有する。
第３突出部２５は中空部２５Ｋを有し、第４突出部２６は中空部２６Ｋを有する。第３突出部２５の中空部２５Ｋは、吸収体側面Ｚ２で開口された内部空間であり、吸収体側面Ｚ２の筋状の凹部をなしている（以下、吸収体側凹部２５Ｋともいう。）。第４突出部２６の中空部６４Ｋは、肌側面Ｚ１で開口された内部空間であり、肌側面Ｚ１の筋状の凹部をなしている（以下、肌側凹部２６Ｋともいう。）。これにより、表面シート１Ｂの肌側面Ｚ１は、長手方向に延出する第３突出部２５と肌側凹部２６Ｋとが、幅方向に交互に複数配された凹凸面１１Ａを有する。また、第１不織布シートの吸収体側面Ｚ２は、長手方向に延出する第４突出部２６と吸収体側凹部２５Ｋとが、幅方向に交互に複数配された凹凸面１１Ｂを有する。
この表面シート１Ｂも、後述の圧搾溝６を除いて、エンボス部を伴わずに第３突出部２５と第４突出部２６とが連続的に交互に連なり、屈曲部のない連続した曲面で構成されている。これにより、表面シート１Ｂは、肌と吸収体とを離間させる嵩高さを有し、優れたクッション性を有する。また、前記嵩高さと、中空部による液透過性とにより、液が残り難く、液の戻りが生じ難い。加えて、通気性に優れ装着時のドライ感が持続しやすい。
【００２９】
ナプキン１０は、上記のような表面シート１を備え、かつ、表面シート１から吸収体３へと部分的に窪んだ圧搾溝６を表面シート１上に少なくとも左右一対有する。
圧搾溝６は、圧搾により部材の構成繊維を圧着、圧密した部分である。圧着により液の幅方向への移行を遮断する。また、圧密により毛管力が他の部分よりも高く、液を厚み方向内部へ引き込む力が強く作用する。これらにより、圧搾溝６は、液移行に対する遮断機能を果たす。
【００３０】
次に、この防漏溝としての圧搾溝６について以下に説明する。なお、本明細書において圧搾溝とは、表面シート１と吸収体３とが一体的に圧搾されて形成された溝のことである。言い換えれば、防漏溝は、前記表面シートと前記吸収体とが一体的な圧密状態で窪んだ圧密部を有する構造で、該圧密部が底部をなす溝形状となっている。溝は左右の側壁部と底部とを備えており、圧搾溝６，６の底部では、圧搾溝の周辺部、すなわち圧搾溝が形成されていない部分と比較して、表面シート１及び吸収体３各々の密度が高くなっている。したがって、圧搾溝とは、少なくともその底部の密度が周辺部よりも高くなされた溝のことである。なお、本明細書において「圧密部」とは、その周囲と比較して密度が高く窪んだ部分のことであり、本実施形態のように、代表的には部材に圧力を加えて高密度化する方法で作成される。
【００３１】
圧搾溝６は、平面視において、長手方向に延在する波形状を有する。すなわち、平面視において所定幅を有しながら外縁が波を打つようにして線状に延出させた形状である。この波形状は、長手方向に延びる幅方向中心線Ｌを軸として左右対称にされている。本実施形態において、圧搾溝６は排泄部対応領域Ｃの左右両側の位置で長手方向に延在する配置とされている。ただし、圧搾溝６の配置は、必ずしも排泄部対応領域Ｃのみに限定されるものでなく、排泄部対応領域Ｃから前方部Ｆ及び後方部Ｒに及んでもよい。
【００３２】
さらに本実施形態において、圧搾溝６、６はそれぞれ、波を繋いで延出した全体形状がナプキン１０の幅方向外方へ向けて湾曲した１つの大きな緩やかなアーチ（弓）形状である。このアーチ形状は、後述の波形状による張力緩和作用を高めるとともに、ナプキン１０全体として、装着時の幅方向の圧力を吸収、緩和するように働く。これにより、受液領域Ｃ１の部材構成のヨレが抑えられ、表面シートの、中空部を備えた両面凹凸面の嵩高構造が装着時においても維持されやすく好ましい。
【００３３】
このような圧搾溝６の具体例について、図４〜１６を参照して以下に説明する。ただし、圧搾溝６は、これらの形態に限定されるものでなく、表面シート１の嵩高構造を保持できる波形状であれば種々の形態をとり得る。
【００３４】
まず、図４（Ａ）には、１例としての圧搾溝６Ａが示されている。
図４（Ａ）の圧搾溝６は、溝幅を一定にして蛇行する形状である。すなわち、圧搾溝６Ａは、ナプキン１０の幅方向内側（受液領域側）の内溝縁６１とナプキン１０の幅方向外側（外縁側）の外溝縁６２との間の所定幅ｔを一定に保ちながら、溝の延出線上で蛇行する曲線形状である。これにより、圧搾溝６Ａの延出線の縁において、図５（Ｃ）に示すような直線状圧搾溝９９による表面シート１の突出部の連続的な潰れが回避される。その結果、圧搾溝６Ａの周辺ないし縁において表面シート１の突出部が残る領域が生まれる。例えば、表面シート１Ａにおいては、圧搾溝６Ａの波に沿ってその周辺に、第１突出部２１及び第２突出部２２が非連続的に存続する（図５（Ａ）参照）。表面シート１Ｂにおいては、筋状の第３突出部２３及び第４突出部２４が圧搾溝６Ａの波によって一部のみの圧搾に止まり存続する（図５（Ｂ）参照）。これにより、表面シート１の両面凹凸面による嵩高さが、圧搾溝６Ａの周辺の硬さを緩和して、ナプキン１０の外縁部分にも柔らかさを与え、良好な装着感となる。なお、図５（Ａ）〜（Ｃ）中、網掛け部分は突出部が潰れた部分を示す。
【００３５】
加えて、圧搾溝６Ａの幅方外側に振れる外側湾曲部６３の内側（受液領域Ｃ１側）に、圧搾溝６Ａで囲まれた表面シート１のポケット部１２がある（図４（Ｂ）参照）。このポケット部１２には、表面シート１の、中空部を備えた両面凹凸面の嵩高構造が存在する（図６（Ａ）参照）。そのため、ナプキン１０の幅方向の外周縁に近い位置にありながら、表面シート１の前述した液透過性が発揮される。この液透過性が拡散する液量を抑えて圧搾溝６Ａによる液遮断機能を助ける。また、外側湾曲部６３は、圧搾溝６Ａの一部として前述した毛管力が強く働く。この外側湾曲部６３がポケット部１２を囲むことで、圧搾溝自身による液引き込みとともに、ポケット部１２内で液を囲い込み一時保持しながら表面シートでの液透過を促す方向に作用する。ポケット部１２は、このような表面シート１と圧搾溝６Ａの外側湾曲部６３との相互作用で、液の横漏れ抑制に有効である。さらにポケット部１２において、表面シート１の中空部が存在するため、風合いがよく、吸収体からの液戻りが生じ難い。またこのポケット部１２においては、圧搾溝６Ａまでの適度な距離を保てるので突出部から落ちた液が圧搾溝６Ａを超えにくくなり、この点においても液の横漏れ抑制に有効である。
また、圧搾溝６Ａ全体が前述のアーチ形状であることから、直線形状の圧搾溝よりもポケット部１２が多く存在し、且つ受液領域を取り囲むようにポケットが存在する（図７（Ａ）、（Ｂ）参照）。これにより、アーチ形状の圧搾溝６Ａは、直線形状の圧搾溝よりも横漏れ抑制に一層有効である。より具体的には、図７（Ａ）のアーチ形状の圧搾溝６Ａは、図７（Ｂ）の直線形状の圧搾溝に比べて、ポケット部１２と受液領域Ｃ１との距離が、長手方向の中央から前後部に向かっても離れず、比較的一定の距離を保っている。これにより、圧搾溝６Ａの複数のポケット部１２は、受液領域Ｃ１から四方に拡散する液を包囲するようにして受け止めることができ、液が横方向から漏れるのを防ぐのに非常に有用である。
【００３６】
また、波形状の圧搾溝６Ａ，６Ａが左右対称に配されていることで、図４（Ａ）に示すように、外側に振れた外側湾曲部６３が互いに対向配置される。これにより、外側湾曲部６３、６３同士の間の距離Ｗ１（内溝縁６１、６１間の距離）が通常の直線状の圧搾溝間よりも広がり、その間の表面シート１に対する張力が低減される。その結果、外側湾曲部６３、６３の周辺から受液領域Ｃ１に亘る幅方向の領域で、表面シート１の中空部の潰れが抑制され内部空間が残りやすい。そして、表面シート１の両面凹凸による嵩高さが維持され、前述した高いクッション性、それによる柔らかな肌触り、優れた液透過性及び通気性が十分に発現される。加えて、前述のとおり、圧搾溝６Ａ、６Ａそれぞれが全体として幅方向外方へ向けて湾曲した１つの大きな緩やかなアーチ形状であることも張力を弱める方向に作用し、表面シート１の前記作用に寄与する。
さらに、図４（Ａ）のとおり、幅方向内側に振れた内側湾曲部６４、６４も互いに対向配置されている。内側湾曲部６４、６４同士の間の距離Ｗ２は、外側湾曲部６３、６３同士の間の距離Ｗ１よりも短く、相対的に表面シート１に対する張力Ｆが強く働く（図６（Ｂ）参照）。これにより、内側湾曲部６４、６４同士の間では、圧搾溝６Ａにおける厚み方向の液引き込み力が強く働く。
このように、一対の波形状の圧搾溝６Ａ、６Ａ間においては、ナプキン１０の長手方向に沿って、表面シート１に対する張力が強く働く部分と、張力が弱く働く部分とを交互に有する。これにより、表面シート１の嵩高さによるクッション性及び液透過性と圧搾溝６Ａによる液遮断機能とがバランスよく作用する。
【００３７】
また、圧搾溝６Ａの幅方向外側においても同様の作用が生じ、股下に感じる硬さを更に緩和して、液残りなく良好なドライ感を与える。内側湾曲部６４の外側では、図６（Ｂ）のように、表面シート１の凹凸面の嵩高構造が存在してクッション性と柔らかい肌触りが生じ、高い液透過性で良好なドライ感が得られる。また、外側湾曲部分６３の外側では、外周シール部９との距離が内側湾曲部６４よりも短く、圧搾溝６Ａの張力で液の遮断機能が働く。したがって、ナプキン１０の幅方向に沿って、圧搾溝６Ａの幅方向内側（ナプキン１０の受液領域Ｃ１側）と幅方向外側（ナプキン１０の外縁側）とで異なる作用が発現する。これにより、ナプキン１０全体で表面シート１の嵩高さによるクッション性及び液透過性と圧搾溝６Ａによる液遮断機能とが更にバランスよく機能する。
【００３８】
さらに、波形状の圧搾溝６Ａは、外側湾曲部分６３と内側湾曲部６４とからなり、直線部分を含まない。すなわち、屈曲部分を有さない曲線状である。これにより、屈曲する角部分での液だまりが生じ難くドライ感に優れる。また装着時の外力にも屈曲部分での角張った変形が無く柔らかい柔軟な変形となって、柔らかな肌触りが維持される。また、肌にフィットしやすくなる。
【００３９】
圧搾溝６の波形状は、前述の図４（Ａ）に示す蛇行する形状の他、図８（Ａ）に示すような幅方向にくびれのある形状であってもよい。
【００４０】
図８（Ａ）の圧搾溝６Ｂは、ナプキン１０の幅方向内側（受液領域側）の内溝縁６１とナプキン１０の幅方向外側（外縁側）の外溝縁６２との間の幅が一定でなく、最大幅ｔｍと最小幅ｔｓとを交互に複数有する。圧搾溝６の波形状は、最大幅ｔｍと最小幅ｔｓとの間を内溝縁６１及び外溝縁６２が曲線でゆるやかに繋いだ形状である。最小幅ｔｓの部分がくびれ部６５である。これに対して最大幅ｔｘの部分を拡幅部６６という。このくびれ部６５と拡幅部６６との間で緩やかに溝の幅が変化して、圧搾溝６Ｂの波形状となる。したがって、この場合も、直線状の部分を有さない、屈曲部分のない曲線状にされている。
【００４１】
図８（Ａ）の圧搾溝６Ｂにおいては、くびれ部６５の両側（受液領域側及び外縁側）で、表面シート１の、中空部を有する両面凹凸面の嵩高構造が存在する（図９（Ａ）参照）。また、くびれ部６５自体も最小幅ｔｓであるため、圧搾溝６Ｂの他の部分にくらべ剛性が高くない。このような構成により、くびれ部６５の周辺の柔らかさは、前述の圧搾溝６Ａのものよりも更に高いものとなる。一方、拡幅部６６では最大幅ｔｍで最も高い液遮断機能を有する。加えて、圧搾溝６Ｂのくびれ部６５の幅方向内側では、圧搾溝６Ａと同様にポケット部１２がある（図８（Ｂ）参照）。このポケット部１２が、前述した嵩高構造の表面シート１と波形状の圧搾溝６Ｂとの相互作用による液の囲い込みを発現し、液の横漏れ抑制に有効である。
さらに、圧搾溝６Ｂの波形状は、長手方向に延びる幅方向中心線Ｌを軸として左右対称にされている。これにより、圧搾溝６Ｂ、６Ｂ間においては、圧搾部６Ａの場合と同様に、ナプキン１０の長手方向に沿って、表面シートに対する強い張力ＦＴが働く部分と、弱い張力ＦＳが働く部分とを交互に有する（図８（Ａ）、図９（Ａ）及び（Ｂ）参照）。さらに、圧搾溝６Ｂ、６Ｂそれぞれの幅方向外側でも、張力の強弱が幅方向内側と同様の繰り返しパターンとなる。これにより、表面シート１の嵩高さによるクッション性及び液透過性と圧搾溝６Ｂにより液遮断機能とがバランスよく作用する。加えて、前述のとおり、圧搾溝６Ｂ、６Ｂそれぞれが全体として幅方向外方へ向けて湾曲した１つの大きな緩やかなアーチ形状であることも張力を弱める方向に作用し、表面シート１の前記作用に寄与する。
【００４２】
圧搾溝６Ｂにおいては、柔らかさとともに液の横漏れ抑制をより確かなものとするため、波形状の幅方向に突出する部分の波の高さを次のようにすることが好ましい。すなわち、波形状の幅方向に突出する部分の波の高さがナプキン１０の幅方向内側と幅方向外側とで異なり、幅方向内側（内溝縁６１側）の波の高さが幅方向外側（外溝縁６２側）の波の高さよりも大きいことが好ましい（図１０参照）。
これにより、液遮断機能を受液領域側に集中させて高め、ナプキン１０の幅方向外側の股付近にあたる部分の剛性を緩和させることができる。また、拡幅部６６の幅方向内側の波の高さを大きくとることで、くびれ部６５と拡幅部６６とを結ぶ内溝縁６１を長くとることができ、漏れ防止に有効である。また、これにより前述のポケット部が大きくなり、液の囲い込みによる一時保持が可能で、横漏れ抑制に有効である。
【００４３】
上記の圧搾溝６の波の高さは、圧搾溝６の平面視において、溝の縁における幅方向に突出する部分の波の高さである。幅方向内側である受液領域側の波の高さは、内溝縁６１における、拡幅部６６の頂点６１Ｔとくびれ部６５の底部６１Ｂとの間の幅方向の長さ（波の高低差）Ｍ１である（以下、波の高さＭ１という。）。また、幅方向外側である外縁側の波の高さは、外溝縁６２における、拡幅部６６の頂部６２Ｔとくびれ部６５の底部６２Ｂとの間の幅方向の長さ（波の高低差）Ｍ２である（以下、波の高さＭ２という。）。
この受液領域側の波の高さＭ１が外縁側の波の高さＭ２よりも大きいことが上記作用の観点から好ましい。この大小関係において、波の高さの差（Ｍ１−Ｍ２）は、物品の大きさ等によっても異なり一概に定めることができないものの、例えば生理用ナプキンの場合、０．５ｍｍ以上が好ましく、１．０ｍｍ以上がより好ましい。また、前記波の高さ（Ｍ１−Ｍ２）は、９．０ｍｍ以下が好ましく、５．０ｍｍ以下がより好ましい。具体的には、前記波の高さの差（Ｍ１−Ｍ２）は、０．５ｍｍ以上９．０ｍｍ以下が好ましく、１．０ｍｍ以上５．０ｍｍ以下がより好ましい。このような大小関係は、長手方向の同じ位置において、成立することが好ましい。
【００４４】
さらに、圧搾溝６のいずれの形態においても、表面シート１の、中空部を有する両面凹凸面の嵩高構造をより確実に存続させる観点から、次のような構成を有することが好ましい。すなわち図１１に示すように、圧搾溝６の幅方向に突出する部分の波の高さＭ１は、表面シート１の幅方向の凹凸のピッチＭ３よりも小さいことが好ましい。これにより、圧搾溝６と表面シート１の突出部とが重なる領域が小さくなり、圧搾溝６の周辺において、表面シート１の凹凸面が潰にくくなり好ましい。
ここでの圧搾溝６の波の高さは、前述した定義の幅方向に突出する部分の波の高さである。典型的には、内溝縁６１における波の高低差である。例えば、圧搾溝６Ｂにおいては、前述したとおり、拡幅部６６の内溝縁６１の頂点６１Ｔと、くびれ部６５の内溝縁６１の底点６１Ｂと間の幅方向の長さ（波の高低差）Ｍ１を意味する。また、圧搾溝６Ａにおいては、蛇行線上における内溝縁６１の受液領域側に最も寄った頂点６１Ｔと、受液領域側から最も離れた底点６１Ｂと間の幅方向の長さ（波の高低差）を意味する。
また、表面シート１の幅方向の凹凸ピッチＭ３とは、表面シート１の肌当接面側において、突出部と凹部とを１組の繰り返し単位としたときの、幅方向の突出部間の長さを意味する。
【００４５】
表面シート１の凹凸のピッチ（Ｍ３）に対する、圧搾溝６の波の高さ（Ｍ１）の比（Ｍ１／Ｍ３）は、表面シート１の凹凸を保持する観点から、０．９以下が好ましく、０．８以下がより好ましく、０．７以下がさらに好ましい。また、前記比（Ｍ１／Ｍ３）は、ポケット部内の中空構造を維持する観点から、０．１以上が好ましく、０．２以上がより好ましく、０．３以上が更に好ましい。より具体的には、前記比（Ｍ１／Ｍ２）は、０．１以上０．９以下が好ましく、０．３以上０．８以下がより好ましく、０．５以上０．７以下が更に好ましい。
圧搾溝６の波の高さ（Ｍ１）は、適用される吸収性物品の大きさや用途によっても異なるが、例えば生理用ナプキンの場合、経血のモレ防止の観点から、１ｍｍ以上が好ましく、１．５ｍｍ以上がより好ましく、２ｍｍ以上がさらに好ましい。また、波の高さ（Ｍ１）は、剛性が高くなる圧搾溝部の面積を抑制し、装着違和感を解消する観点から、１０ｍｍ以下が好ましく、８ｍｍ以下がより好ましく、６ｍｍ以下がさらに好ましい。
表面シート１の凹凸のピッチ（Ｍ２）は、適用される吸収性物品の大きさや用途によっても異なるが、例えば生理用ナプキンの場合、表面シートの嵩高構造を維持し、装着時のクッション性を向上させる観点から、２ｍｍ以上が好ましく、２．５ｍｍ以上がより好ましく、３ｍｍ以上がさらに好ましい。また、ピッチ（Ｍ２）は、 表面シートの滑らかな肌触りを維持する観点から、１２ｍｍ以下が好ましく１０ｍｍ以下がより好ましく、８ｍｍ以下がさらに好ましい。
【００４６】
また、圧搾溝６はいずれの形態であっても、ナプキン１０の厚み方向において、一律同じ圧搾深さではなく、深さの異なる高圧搾部６７と低圧搾部６８とを組み合わせてなることが好ましい。高圧搾部６７とは低圧搾部６８よりも溝の深さが深い部分であって、溝底部の密度が低圧搾部６８の溝底部の密度よりも高い。低圧搾部６８では高圧搾部６７よりも表面シート１に対する張力が緩和されおり、表面シート１の、中空部を有する両面凹凸面の嵩高構造が更に潰れにくくなる。また、これにより、ナプキン１０の、波形状の圧搾部６による柔らかな肌触り、優れた柔軟性を更に高めることができる。
【００４７】
具体的な態様としては、図１２（Ａ）〜（Ｅ）に示すような配置が挙げられる。図１２（Ａ）は圧搾溝６Ａを高圧搾部６７及び低圧搾部６８で構成としたものであり、図１２（Ｂ）〜（Ｅ）は圧搾溝６Ｂを高圧搾部６７及び低圧搾部６８で構成としたものである。図１（Ａ）は、高圧搾部６７が、圧搾溝６Ａの幅方向内側及び外側に振れた部分にある態様を示している。図１２（Ｂ）〜（Ｅ）は、高圧搾部６７が拡幅部６６にある態様（図１２（Ｂ）及び（Ｄ））、高圧搾部６７がくびれ部６５にある態様（図１２（Ｃ）及び（Ｅ））を示している。いずれの態様であってよい。ただし、くびれ部６５による表面シート１の柔らかさ創出と拡幅部６６による液遮断の機能分担の観点から、高圧搾部６７が拡幅部６６にある態様がより好ましい。
また、いずれの態様であっても、液移行に対する段階的かつ確実な遮断機能と、更なる柔らかさとを両立する観点から、高圧搾部６７は低圧搾部６８に囲まれる配置であることがより好ましい。すなわち、高圧搾部６７の前後左右の外周が低圧搾部６８に囲まれる配置が好ましい。この場合、圧搾溝６（６Ａ、６Ｂ）の波形状、すなわち内溝縁６１及び外溝縁６２の打つ波は、低圧搾部６８により形成されることとなる。これにより、高圧搾部６７の張力は、これよりも張力の弱い低圧搾部６８の介在で圧搾溝６の溝縁の外に伝わり難くなる。その結果、前述した波形状で、かつ、左右対称配置としたことによる張力緩和は更に高められ、表面シートの嵩高構造が更に維持されやすくなる。また、表面シート１の嵩高構造による前述した液の透過性とともに、液の移行方向に対して、低圧搾部６８、高圧搾部６７と段階的な防護壁を構えることとなる。すなわち、表面シート１の作用と協働して、圧着の２段構えと、繊維密度の勾配による毛管力の２段構えにより効果的に液移行を遮断することができる。
【００４８】
圧搾溝６を高圧搾部６７及び低圧搾部６８で構成することの作用について図１３（Ａ）及び（Ｂ）を参照して説明する。
図１３（Ａ）は、ナプキン１０の幅方向において、高圧搾部６７が低圧搾部６８によって囲まれた態様を示している。すなわち、低圧搾部６８が高圧搾部６７の外周に隣接し、圧搾溝６の幅方向内側の内溝縁６１を形成している（図示しないが、低圧搾部６８は、高圧搾部６７の幅方向外側にも配され、外溝縁６２を形成している。）。これに対し図１３（Ｂ）では、ナプキン１０の幅方向において、高圧搾部６７のみで内溝縁６１までの圧搾溝６を形成している。高圧搾部６７は、両図ともに、表面シート１と吸収体３とを圧搾し、ナプキン１０の厚みＨ１を厚みＨ２にまで縮めて圧着している。一方、低圧搾部６８では、図１３（Ａ）に示すように、表面シート１と吸収体３とを高圧搾部６７よりも弱い圧搾とし、ナプキン１０の厚みＨ１を厚みＨ３に留めている。したがって、高圧搾部６７の厚みＨ２は低圧搾部の厚みＨ３よりも薄くされている。このとき、高圧搾部６７の底部６７Ｔでは、圧着により、非圧搾部分の表面シート１を引き込もうとする張力Ｆ１が働く。低圧搾部６８では、この張力Ｆ１よりも弱い張力Ｆ２が働く。
低圧搾部６８がない図１３（Ｂ）の態様では、底部６７Ｔの張力Ｆ１は圧搾されていない周辺部Ｗの表面シート１に直接的に作用する。これに対し、低圧搾部６８で囲んだ図１３（Ａ）の態様では、底部６７Ｔの張力Ｆ１の波及は、低圧搾部６８の底部６８Ｔでの圧着部分で防御されている。そのため、圧搾されていない周辺部Ｗの表面シート１に対しては、張力Ｆ１よりも弱い、低圧搾部６８の底部６８Ｔの張力Ｆ２が作用することとなる。その結果、表面シート１に対して、圧搾溝６の張力の影響が更に弱められる。このことが、圧搾溝６を波形状で左右対称としたことによる張力の緩和をさらに助けて、表面シート１の嵩高構造がより維持されやすくなる。また、圧搾溝６の波形状によって表面シート１の突出部の直接的な圧搾を回避した部分に対しても張力が弱められる。このため、圧搾溝６に隣接する表面シート１がより柔らかく、通気性に優れ、高い液透過性が維持される。
【００４９】
また、ナプキン１０は、前述した左右一対の圧搾溝６を複数対有していてもよい。この場合には、幅方向に隣り合う圧搾溝間の離間領域が最も広い一対の圧搾溝６が、排泄部対応領域Ｃの受液領域Ｃ１にあることが好ましい。
上記の複数対の具体例としては、図１４に示す態様が挙げられる。図１４においては、圧搾溝６Ｐ、６Ｐの対の前方部Ｆと後方部Ｒにそれぞれ、圧搾溝６Ｑ、６Ｑの対、圧搾溝６Ｒ、６Ｒの対が配されている。さらに、圧搾溝６Ｐ、６Ｐそれぞれの幅方向外側の離間した位置に、圧搾溝６Ｓ、６Ｓの対が配されている。
圧搾部６Ｐは、波を繋いで延出した全体形状が、排泄部対応領域Ｃの受液領域Ｃ１の幅方向外縁を囲むように湾曲した１つの大きな緩やかなアーチ形状である。圧搾溝６Ｑは、圧搾溝６Ｐよりも短い長さで波を繋いで幅方向外側に湾曲した１つの弧を描き、さらにナプキン１０の前端部側で他方の圧搾溝６Ｑと連結して円弧状になっている。同様に、圧搾溝６Ｒも圧搾溝６Ｐよりも短い長さで波を繋いで幅方向外側に湾曲した１つの弧を描き、他方の圧搾溝６Ｒと連結して円弧状になっている。圧搾溝６Ｓは、圧搾溝６Ｐの幅方向外側で対をなして配置されている。より具体的には、圧搾溝６Ｓは、圧搾溝６Ｐよりも短い長さで圧搾溝６Ｐの外縁側を囲むように、波を繋いで幅方向外側に湾曲した１つの弧を描いている。各圧搾溝は、対をなすもの同士で左右対称とされている。
また、圧搾溝６Ｐと圧搾溝６Ｓとの間は、ナプキン１０の両側における非圧搾領域８、８となっている。また、ナプキン１０の左右両側それぞれにおいて、圧搾溝６Ｐと圧搾溝６Ｓは左右対称にされている。そのため、両圧搾部６Ｐ、６Ｓ間には、互いの波が引いたポケット部１２Ｓが複数配されている。
さらに、圧搾溝６Ｑ、圧搾溝６Ｒは、圧搾溝６Ｐの前後端と連接され、前後左右４か所に連接部６９がある。各連接部６９は、互いの圧搾部のアーチが幅方向内側へ入り込む部分で形成されているため、幅方向内側への窪んだ形状となっている。
【００５０】
このような圧搾溝が複数対ある構成においては、波形状による張力緩和の領域が多くなり、表面シート１の嵩高構造が広い範囲で維持される。加えて、ナプキン１０の装着時における幅方向の外力に対し、圧搾溝６による圧力吸収、緩和をより高めることができる。これにより、受液領域Ｃ１の部材構成のヨレが抑えられ、表面シートの、中空部を備えた両面凹凸面の嵩高構造が、ナプキン１０使用時においてもさらに維持されやすく好ましい。加えて、ナプキン１０の外周縁における液吸収性も更に優れたものとなる。これにより、ナプキン１０の装着時における様々な状況（例えば、歩行中や、仕事中の瞬間的な体勢の変化、長時間の着座姿勢の継続などの状況）にあっても、液の横漏れを防いでしっかり吸収を実現することができるので好ましい。
【００５１】
例えば、図１４の態様の場合、図１５（Ａ）及び（Ｂ）に示すように、股下からの外力Ｆ９が加わった際に、圧搾溝６Ｐが外力Ｆ９を受け止める。その際、圧搾溝６Ｐが前後の圧搾溝６Ｑ及び６Ｒと連結部６９で連結されてナプキン長手方向に亘る防波堤となっている。そのため、圧搾溝６Ｐにかかる外圧Ｆ９は、前後の圧搾溝６Ｑ及び６Ｒの剛性を伴って受液領域Ｃ１の内方への波及が弱められる。また、連結部６９が内方側へ窪んだ形状であることで、外力Ｆ９は前後の圧搾溝６Ｑ、６Ｒ及びその周辺の変形には結び付き難くなっている。これにより、受液領域Ｃ１におけるヨレ、それにともなう表面シート１の嵩高構造が装着時においても維持されやすく、適切な液吸収が実現され好ましい。また、図示しないが、圧搾溝６Ｓが外圧に対する第一の防波堤となるため、受液領域Ｃ１の内方への外力の波及を更に防御でき好ましい。これに対し、図１５（Ｃ）及び（Ｄ）のように一対の圧搾溝からなる場合、外力Ｆ９の波及は、その力の強さによっては、上記の場合よりも受液領域Ｃ１に強く作用する場合がある。このことから、圧搾溝を複数対有することが使用時の性能維持の観点から更に好ましい。
【００５２】
さらに、圧搾溝６Ｐと圧搾溝６Ｓとの間の非圧搾領域８は、図１６に示すように、互いの波が引いたポケット部１２Ｓを有する。ポケット部１２Ｓでは、表面シート１の嵩高構造が残る。これにより、この部分においても素早い液透過が作用し、液漏れの更なる防波堤として機能し好ましい。また、圧搾溝６Ｐと圧搾溝６Ｓとの間のポケット部１２Ｓによって股下に当たる部分が更に柔らかい肌触りとなって好ましい。
【００５３】
高圧搾部６７と低圧搾部６８とを組み合わせた圧搾溝６である場合、高圧搾部６７の平面形状はどのような態様でもよい。圧搾溝６Ｂの波形状の場合、くびれ部６５との関係で、高圧搾部６７の平面形状の前後端が先細りする形状であることが好ましい。例えば、円形や楕円形、ひし形などが挙げられる。
【００５４】
上記のような圧搾溝６の形成方法は、この種の物品に用いられる通常の方法を採用して行うことができる。例えば、表面が凹凸にされて押圧部を有する押圧ロール（図示せず）を用いて熱シール加工する方法が挙げられる。押圧部の形状（高さ、幅、凹凸形状等）は、押圧強度等の観点から適宜設定できる。また、押圧圧力、加熱温度（ヒートシール温度）、押圧時間などの加工条件を適宜に設定して、押圧強度や圧搾深さを調製することができる。
【００５５】
ナプキン１０において、前述した表面シート１の嵩高構造は、不織布における種々の賦形方法を適宜採用することができる。
例えば、図２に示す表面シート１Ａの場合、エアスルー法において、表面が凹凸にされた賦形支持体上に繊維ウエブを載置し、吹き付ける熱風の温度や風速を制御して賦形処理及び熱融着処理を施して得ることができる。例えば、特開２０１２−１３６７９０号公報の段落［００３１］に記載の方法や特開２０１２−１４９３７１号公報の段落［００３３］〜［００６１］に記載の方法を用いることができる。また、その際に用いる賦形支持体としては、特開２０１２−１４９３７０号公報の図１に示す支持体や特開２０１２−１４９３７１号公報の図１、３、４に示す支持体などが挙げられる。
また、図３に示す表面シート１Ｂの場合、繊維ウエブの構成繊維同士の交点を熱融着して不織布化した後、互いに噛み合う一対の凹凸（歯溝）ロール間に搬入して一方向に延伸させて得ることができる。
【００５６】
ナプキン１０を構成する表面シート１、裏面シート２、吸収体３及びサイドシート４の形成材料は、この種の物品に用いられるものを特に制限なく用いることができる。
【００５７】
例えば表面シート１を不織布からなるものとし、その形成材料として、例えば親水化処理された熱可塑性樹脂繊維で、特開２０１２−１３６７９１号の段落［００３２］に記載の繊維素材などを用いることができる。また、不織布に開孔フィルム等の液透過性のシートを組み合わせてもよい。前記形成素材に関し、２次クリンプ又は３次クリンプのような立体捲縮がなされた繊維でこれを親水化処理したものであってもよい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、通常用いられる種々の親水化剤による親水化処理を用いることができる。
【００５８】
裏面シート２としては、不透湿性若しくは透湿性フィルム単独、又はフィルムと不織布の貼り合わせ、撥水性の不織布（ＳＭＳやＳＭＭＳ等）を用いることができる。コスト面やズレ止め粘着剤とのマッチングなどから、透湿性フィルム単独を防漏材として用いることが最も好ましい。この場合の透湿性フィルム材としては、熱可塑性樹脂と、これと相溶性のない無機フィラーを溶融混練して押し出したフィルムを所定の寸法に延伸して微細孔をあけたフィルム、または、本質的に水分の相溶性が高く、浸透膜のように水蒸気排出可能な無孔性のフィルムが挙げられる。本発明に関わる湿度排出の性能を十分に発現し、かつ、水分のにじみ出しがない防漏層を具現化するには、透湿度は、０．７ｇ／１００ｃｍ２ｈｒ以上３．０ｇ／１００ｃｍ２ｈｒ以下の範囲にあることが好ましく、１．０ｇ／１００ｃｍ２ｈｒ以上２．５ｇ／１００ｃｍ２ｈｒ以下の範囲にあることが更に好ましい。さらっと感を十分に高める観点からは１．５ｇ／１００ｃｍ２ｈｒ以上２．５ｇ／１００ｃｍ２ｈｒ以下にあることが最も好ましい。また、フィルムの破れ等のトラブルなく使用可能であるためには、フィルム坪量は１８ｇ／ｍ２以上７０ｇ／ｍ２以下、より好ましくは２５ｇ／ｍ２以上６０ｇ／ｍ２以下である。また好ましい無機フィラー配合量は、フィルム全体の質量に対するフィラーの質量％として３０質量％以上６５質量％以下、より好ましくは４０質量％以上６０質量％以下である。
【００５９】
吸収体３の構成材料としては、特に制限はないが繊維材料、繊維材料と多孔質体との混合積繊体などをコアラップシート（紙や不織布など）で挟持したものなど、を用いることができる。繊維素材としては例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することでみかけの繊維の占有する長さが短くなるものであってもよい。多孔質体としては、スポンジ、不織布、高吸水性ポリマーの凝集物（高吸水性ポリマーと繊維とが凝集したもの）などを用いることができる。
【００６０】
サイドシート４としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）不織布等が用いられる。
【００６１】
本発明の吸収性物品は、上記の実施形態の生理用ナプキンに制限されるものではなく、例えば失禁パッド、失禁ライナ、尿とりパッド、使い捨ておむつ等に適応することができる。また、経血に限らずその他、尿、オリモノ、軟便等に対しても効果的である。また、上記構成部材の他、用途や機能に合わせ適宜部材を組み込んでもよい。
【００６２】
上述した実施形態に関し、本発明はさらに以下の吸収性物品を開示する。
【００６３】
＜１＞
肌当接面側の表面シート、非肌当接面側の裏面シート、及び、前記表面シートと前記裏面シートとの間に位置する吸収体を有し、着用者の腹側部から股下部を介して背側部に亘る長手方向と、該長手方向と直交する幅方向とを有する吸収性物品であって、
前記表面シートは、肌側面及び吸収体側面に、エンボス部を伴わない凹凸面と中空部とを有し、前記表面シートから前記吸収体へと部分的に窪んだ防漏溝が、該表面シート上に少なくとも左右一対配されており、
前記防漏溝は、前記表面シートと前記吸収体とが一体的な圧密状態で窪んだ圧密部を有する構造であって、
前記左右一対の防漏溝は、前記表面シートの平面視においてそれぞれ前記長手方向に延在する波形状を有し、かつ、前記長手方向に延びる幅方向中心線を軸として形状が左右対称である吸収性物品。
【００６４】
＜２＞
前記防漏溝は、幅方向内側の溝縁と幅方向外側の溝縁との間の幅が一定である前記＜１＞に記載の吸収性物品。
＜３＞
前記防漏溝は、前記幅方向のくびれを有する、前記＜１＞に記載の吸収性物品。
＜４＞
前記防漏溝の波形状の幅方向に突出する部分の波の高さが、前記吸収性物品の幅方向内側と幅方向外側とで異なり、前記幅方向内側の波の高さが前記幅方向外側の波の高さよりも高い、前記＜１＞〜＜３＞のいずれか１に記載の吸収性物品。
＜５＞
前記防漏溝の幅方向に突出する部分の波の高さは、前記表面シートの幅方向の凹凸ピッチより小さい、前記＜１＞〜＜４＞のいずれか１に記載の吸収性物品。
＜６＞
前記表面シートの凹凸のピッチＭ３に対する、防漏溝の波の高さＭ１の比Ｍ１／Ｍ３は
０．１以上０．９以下、好ましくは０．３以上０．８以下、更に好ましくは０．５以上０．７以下である、前記＜５＞に記載の吸収性物品。
＜７＞
前記防漏溝の幅方向に突出する部分の波の高さが１ｍｍ以上１０ｍｍ以下、好ましくは３ｍｍ以上８ｍｍ以下、更に好ましくは５ｍｍ以上６ｍｍ以下である前記＜１＞〜＜６＞の何れか１つに記載の吸収性物品。
＜８＞
前記防漏溝は高圧搾部と低圧搾部とを含んでなり、前記高圧搾部は互いに離間して配置されている前記＜１＞〜＜７＞のいずれか１に記載の吸収性物品。
＜９＞
前記高圧搾部は前記低圧搾部に囲まれている前記＜８＞に記載の吸収性物品。
＜１０＞
前記左右一対の防漏溝が複数配されており、前記幅方向に隣り合う前記防漏溝間の離間領域が最も広い一対の防漏溝が受液領域にある、前記＜１＞〜＜９＞のいずれか１に記載の吸収性物品。
＜１１＞
前記防漏溝には、前記くびれ部と連続して拡幅部が存在している前記＜３＞記載の吸収性物品。
＜１２＞
前記防漏溝は高圧搾部と低圧搾部を含んでなり、該高圧搾部が前記拡幅部にある前記＜１１＞に記載の吸収性物品。
＜１３＞
前記冒頭溝は高圧搾部と低圧搾部を含んでなり、該高圧搾部が前記くびれ部にある前記＜１１＞に記載の吸収性物品。
＜１４＞
前記表面シートの凹凸面は屈曲部を有さず、全体が連続した曲面で構成されている前記＜１＞〜＜１３＞のいずれか１に記載の吸収性物品。
＜１５＞
前記表面シートは、肌側に突出する第１突出部と吸収体側に突出する第２突出部とを有し、平面視交差する異なる方向のそれぞれに交互に複数配されている前記＜１＞〜＜１４＞のいずれか１に記載の吸収性物品。
＜１６＞
前記表面シートにおいて、隣接して並走する配列同士で、前記第１突出部と前記第２突出部との交互配置が半ピッチずれた千鳥配置である前記＜１５＞に記載の吸収性物品。
＜１７＞
前記第１突出部及び第２突出部は錐体形状である、前記＜１５＞又は＜１６＞に記載の吸収性物品
＜１８＞
前記第１突出部及び第２突出部は頂部に丸みをもった円錐台形状もしくは半球状である、前記＜１５＞又は＜１６＞に記載の吸収性物品。
＜１９＞
前記表面シートは、筋状の凹凸が、幅方向に交互に配置された波形形状を有する＜１＞〜＜１４＞の何れか１つに記載の吸収性物品。
＜２０＞
前記左右一対の防漏溝を複数対有する前記＜１＞〜＜１９＞のいずれか１に記載の吸収性物品。
＜２１＞
着用者の排泄部に対向する、前記吸収性物品の排泄部対応領域において、受液領域を挟んで対をなす防漏溝と、その幅方向外側で対をなす防漏溝が配置されている前記＜２０＞に記載の吸収性物品。
＜２２＞
前記防漏溝はそれぞれ、全体形状が吸収性物品の幅方向外方へ向けて湾曲した１つの大きな緩やかなアーチ形状となっている、前記＜１＞〜＜１９＞のいずれか１に記載の吸収性物品。
＜２３＞
前記吸収性物品が生理用ナプキンである、前記＜１＞〜＜２２＞のいずれか１に記載の吸収性物品。
【実施例】
【００６５】
以下に、本発明について実施例に基づきさらに詳細に説明するが、本発明がこれにより限定されるものではない。
【００６６】
（実施例１）
まず、図２に示した不織布を作製し、表面シート用の大きさに裁断した。具体的には、特開２０１３−１３３５７４号公報に記載の方法により製造したシートを用いた。表面シートは、上層に芯がポリエチレンテレフタレートで鞘がポリエチレンからなる２．４ｄｔeｘで１２ｇ／ｍ２の坪量、下層に芯がポリエチレンテレフタレートで鞘がポリエチレンからなる２．９ｄｔｅｘ繊維で１８ｇ／ｍ２の坪量となるように計３０ｇ／ｍ２に調整し、表面シートの全体の厚さを２．２ｍｍに調整した。また、表面シートは、幅方向（Ｘ方向）に隣り合う肌側突出部の頂部どうしの間隔５ｍｍであり、長手方向（Ｙ方向）に隣り合う肌側突出部の頂部どうしの間隔が８ｍｍであった。
得られた表面シートを、吸収体（坪量２８０ｇｓｍのパルプに高吸水性ポリマー０．１ｇを散布してティッシュペーパーで包んだもの）、裏面シート（坪量２３ｇｓｍのポリエチレンフィルム）及びサイドシート（坪量２０ｇｓｍのスパンボンド不織布）を積層固定した。次いで、図４に示す左右対称の１対の圧搾溝を形成した。圧搾溝の波形状は、図１のパターンとした。このときの波の高さは、３ｍｍとした。図１７（Ａ）の図面代用写真では、得られた試料の、波形形状の圧搾溝６Ａの外側湾曲分６３とその受液領域側の一部（ポケット部１２）の断面が示されている。図１７（Ａ）の代用写真上には、外側湾曲部６３の湾曲状態の把握の一助のため、１点鎖線を付した。該１点鎖線は圧搾溝６Ａの底部の縁の湾曲部分を示している。すなわち、外側湾曲部分６３が右側に湾曲し、外側湾曲部６３の左側が表面シート１のポケット部１２である部分を示している。図１７（Ａ）の撮像写真が示す通り、ポケット部１２は圧搾溝６Ａの縁で、表面シート１は中空部２１Ｋがしっかりと残って両面凹凸の嵩高構造が存在していた。
【００６７】
（比較例１）
実施例１と同じ表面シート、吸収体、裏面シート及びサイドシートを用いて、積層固定し、波形状を有さない直線状の圧搾溝を形成した。図１７（Ｂ）から分かる通り、圧搾溝の縁の表面シートは、中空部が潰れ、実施例１のものよりも凹凸が潰れていた。
【００６８】
（試験方法）
１．圧搾溝周辺の表面シートの液残り試験
各評価用の生理用ナプキンに、無加圧の状態で圧搾溝に沿って３５ｍｍの範囲に脱繊維馬血２．０ｇを流し込んだ。脱繊維馬血を流し込んでから６０秒後に、脱繊維馬血の投入位置を中心とする直径８ｍｍの範囲のＬ値を測定した。測定には、日本電色工業株式会社製の簡易型分光色差計ＮＦ３３３を用いた。
Ｌ値（明度）はその値が大きいほど、色が白に近づき、表面シートに赤みが見えにくいことを示す。すなわち、Ｌ値が大きいほど表面シートの液残りが少ないことを示す。
なお、脱繊維馬血は粘度を８．０±０．１ｃＰ（２５℃）に調整したものを用いた。粘度の調整は、馬血に、馬血自体から取り出した血漿と血球成分を加えることにより、調整した。血漿と血球成分は、馬血を放置して分離した際の、それぞれ上澄み部分と沈殿部分である。
【００６９】
２．圧搾溝による漏れ防止の試験
各評価用の生理用ナプキンを平面状に拡げ、表面シートを上に向けて、水平面に対する傾斜角度が４５°の平滑な傾斜面上に無加圧状態で固定した。表面シート上の圧搾溝（受液領域に隣接する圧搾溝）から１０ｍｍ受液領域側のところに、前述のものと同様の脱繊維馬血を１ｇ／１０秒の速度で注入した。脱繊維馬血が圧搾溝を乗り越えた時点での注入量（限界注入量）を測定した。測定した注入量が多いほど、圧搾溝による漏れ防止性能が高いことを意味する。
なお、図１７（Ｃ）及び（Ｄ）の図面代用写真は、注入を継続して累計６ｇ注入時点での圧搾溝及び注入点周辺の状態を撮像したものである。
【００７０】
【表１】
0006692633.tif 000002
【００７１】
上記表１が示す通り、実施例１は、比較例１に比べて、Ｌ値が約１３％も向上しており、圧搾溝周辺において、表面シートの液透過性とそれによる液残り防止性に優れていた。また、実施例１は、比較例１に比べて、限界注入量が約５０％も向上しており、圧搾溝の縁における表面シートの液透過性が極めて優れたものであった。これは、図１７（Ａ）と（Ｂ）との比較から分かる通り、実施例１の表面シートの方が、比較例１の表面シートに比べて、圧搾溝の周辺で中空部が大きく凹凸が高くされ、明確な嵩高構造が存在していたことによるものと思われる。すなわち、圧搾溝の波形状により、圧搾溝周辺の表面シートの嵩高構造が存続して、該嵩高構造による液透過性でより多くの液が吸収体へと導かれ、圧搾溝による液防御機能を補ったものと思われる。また、実施例１の表面シートは、上記の嵩高構造により、比較例１のものに比べて肌に触れた感触が柔らかいものであった。
【符号の説明】
【００７２】
１、１Ａ、１Ｂ  表面シート
２１  第１突出部
２２  第２突出部
２５  第３突出部
２６  第４突出部
２  裏面シート
３  吸収体
６、６Ａ、６Ｂ  圧搾溝（防漏溝）
６１  受液領域側の溝縁（内溝縁）
６２  外縁側の溝縁（外溝縁）
６３  外側湾曲部
６４  内側湾曲部
６５  くびれ部
６６  拡幅部
６７  高圧搾部
６８  低圧搾部
６９  連結部
１０  生理用ナプキン
【図１】
0006692633.tif 000003
【図２】
0006692633.tif 000004
【図３】
0006692633.tif 000005
【図４】
0006692633.tif 000006
【図５】
0006692633.tif 000007
【図６】
0006692633.tif 000008
【図７】
0006692633.tif 000009
【図８】
0006692633.tif 000010
【図９】
0006692633.tif 000011
【図１０】
0006692633.tif 000012
【図１１】
0006692633.tif 000013
【図１２】
0006692633.tif 000014
【図１３】
0006692633.tif 000015
【図１４】
0006692633.tif 000016
【図１５】
0006692633.tif 000017
【図１６】
0006692633.tif 000018
【図１７】
0006692633.tif 000019